(57)【要約】      （修正有）【課題】折り畳み可能な携帯無線端末においてダイバーシチ方式の切り替えを筐体の開閉に応じて行う携帯無線端末を提供する。【解決手段】折り畳み自在に結合された一対の筐体にそれぞれ配置される一つ以上のアンテナ（６０１，６０２）と、各アンテナに接続される高周波スイッチ（６０３）と、高周波スイッチに接続される無線機（６０４，６０５）と、筐体の開閉に応じてダイバーシチ方式を選択する選択手段（６０７，６０９）とを具備する。【選択図】図６
2005244260.tif 000002
【特許請求の範囲】
【請求項１】
一対の筐体がヒンジ部を介して開閉自在に結合された折り畳み型携帯無線端末において、
前記筐体にそれぞれ配置されるアンテナと、
前記アンテナに接続されるスイッチと、
前記スイッチを介して前記アンテナに選択的に接続される無線機と、
前記筐体の開閉に応じてダイバーシチ送受信方式を選択する選択手段と、
を具備することを特徴とする携帯無線端末。
【請求項２】
前記選択手段は、アンテナを選択する選択ダイバーシチ送受信方式と前記無線機の検波信号を合成する合成ダイバーシチ送受信方式の少なくともいずれかを選択することを特徴とする請求項１記載の携帯無線端末。
【請求項３】
前記選択手段は前記合成ダイバーシチ送受信方式において前記無線機の検波信号を合成するために前記無線機に接続される合成部を有することを特徴とする請求項２記載の携帯無線端末。
【請求項４】
前記筐体にそれぞれ配置された前記アンテナは、前記筐体が折り畳まれたときに互いに接触しないように離間して配置されることを特徴とする請求項１ないし３のいずれか１に記載の携帯無線端末。
【請求項５】
前記選択手段は、前記筐体の開閉状態を検出する開閉検出手段と、この開閉検出手段の開閉検出に応じて前記ダイバーシチ送受信方式の切り替える手段とで構成されるこうとを特徴とする請求項１ないし４のいずれか１に記載の携帯無線端末。
【請求項６】
前記ダイバーシチ送受信方式の切替後にアンテナを選択する手段を含む請求項１ないし５のいずれか１に記載の携帯無線端末。
【請求項７】
前記筐体の一方に複数のアンテナが設置され、前記筐体の他方に１つのアンテナが設置されることを特徴とする請求項１ないし６のいずれか１に記載の携帯無線端末。
【請求項８】
前記筐体にそれぞれ設けられるアンテナは逆Ｆアンテナである請求項１ないし７のいずれか１に記載の携帯無線端末。
【請求項９】
前記筐体の一方に設けられるアンテナはホイップアンテナであり、他方に設けられるアンテナは逆Ｆアンテナである請求項１ないし７のいずれか１に記載の携帯無線端末。
【請求項１０】
前記筐体の一方に設けられるアンテナはヘリカルアンテナであり、他方に設けられるアンテナは逆Ｆアンテナである請求項１ないし７のいずれか１に記載の携帯無線端末。
【発明の詳細な説明】
【技術分野】
【０００１】
この発明は、折り畳み可能な携帯無線端末に関し、特にダイバーシチ送受信方式の携帯無線端末に関する。
【背景技術】
【０００２】
従来の折り畳み可能なダイバーシチ送受信方式の携帯無線端末においては、アンテナの受信レベルや回線品質をモニタしてダイバーシチ送受信方式を切り替えている（例えば、特許文献１参照）。
【特許文献１】特開２０００−１８３７９３号公報
【発明の開示】
【発明が解決しようとする課題】
【０００３】
上記のような従来の折り畳み可能なダイバーシチ送受信方式の携帯無線端末においては、ダイバーシチ送受信方式を切り替える場合、アンテナ間の相関について考慮されておらず、受信レベルや回線品質を常にモニタしなければならないため消費電力の増加や回路規模の増加といった問題があった。また、アンテナの配置おいて、モノポールアンテナのようなある面で無指向性となるアンテナ等について考慮がなされていなく、各アンテナの電気的性能が劣化する場合があるという問題があった。これは主に、従来の折り畳み可能な携帯無線端末において、筐体を開いた状態における通信性能しか考慮されていないものが大多数だったことに起因する。
【０００４】
この発明は、折り畳み可能な携帯無線端末においてダイバーシチ送受信方式の切り替えを筐体の開閉に応じて行う携帯無線端末を提供することを目的とする。
【課題を解決するための手段】
【０００５】
本発明は、一対の筐体がヒンジ部を介して折り畳み自在に結合された折り畳み型携帯無線端末において、前記一対の筐体にそれぞれ配置される一つ以上のアンテナと、前記各アンテナに接続される高周波スイッチと、前記高周波スイッチに接続される無線機と、前記筐体の開閉に応じてダイバーシチ送受信方式を選択する選択手段とを具備することを特徴とする携帯無線端末を提供する。
【発明の効果】
【０００６】
折り畳み自在の携帯無線端末の筐体の開閉を検出してダイバーシチ送受信方式の切替を行うことにより消費電力や回路規模の増加が抑制される。
【発明を実施するための最良の形態】
【０００７】
以下、図面を参照しながら本実施の形態について詳細に説明する。
【０００８】
（第１の実施形態）
本発明の第１の実施形態について、図１および図２を用いて説明する。図１は折り畳み可能な携帯無線端末のアンテナ配置の一例を示している。図１（ａ）および図１（ｂ）は筐体が開いた状態の側面図および斜視図をそれぞれ示し、図１（ｃ）および図１（ｄ）は筐体が閉じた状態の側面図および斜視図をそれぞれ示している。図１の携帯無線端末は上筐体１０３と下筐体１０４がヒンジ１０５を介して結合されており、自在に折り畳みが可能である。図１（ｃ）において、上筐体１０３と下筐体１０４が接している面を内側面とし、接していない面を外側面とする。上筐体１０３と下筐体１０４にそれぞれアンテナ１０１，１０２を設置する際、該アンテナ１０１，１０２は上筐体１０３と下筐体１０４の外側面で反対方向の上方、下方隅にそれぞれ配置される。これにより、筐体１０３，１０４を閉じた場合、アンテナ１０１，１０２は重なることが無く、また、筐体１０３，１０４を閉じた場合、開いた場合、いずれもアンテナ１０１が筐体や他のアンテナ１０２と接触することがない。従って、アンテナ同士の接触による電気的性能の劣化が避けられる。
【０００９】
次に、この実施形態において、特に、スイッチによってアンテナを切り替える選択ダイバーシチ受信を行う例について、図２を用いて説明する。図２（ａ）は選択ダイバーシチ送受信方式構成のブロック回路を示し、図２（ｂ）は選択ダイバーシチ送受信方式構成の一例の携帯無線端末を示している。
【００１０】
第１のアンテナ２０１は上筐体２０５の外側面の、例えば右側の上方隅に配置され、第２のアンテナ２０２は下筐体２０６の外側面の左側の下方隅に配置される。これらアンテナ２０１，２０２はいずれも高周波スイッチ２０３に接続される。この高周波スイッチ２０３によって、無線機２０４に接続すべきアンテナが選択される。このとき、単一アンテナによる電気的性能以上の電気的性能を選択ダイバーシチ送受信方式によって得るためには、第１、第２のアンテナ２０１、２０２が電気的性能の劣化無く動作していることが望ましい。
【００１１】
上記実施形態によれば、第１、第２のアンテナ２０１、２０２が、互いに接触しないように配置されているので、筐体の開閉状態に関係なく各アンテナの電気的性能が劣化することがない。従って、本実施形態の選択ダイバーシチ受信は単一アンテナを用いた受信以上の電気的性能を得ることができる。なお、本実施形態では上下筐体に各１つずつアンテナが設置された場合について述べたが、各筐体に２つ以上のアンテナが互いに接触しないように設置されても同等以上の効果が期待できる。
【００１２】
（第２の実施形態）
本発明の第２の実施形態について、図１および図３を用いて説明する。
【００１３】
本実施形態では、特に、合成部によって複数のアンテナの受信信号を合成する合成ダイバーシチ受信を行う場合について、図３を用いて説明する。図３（ａ）は合成ダイバーシチ送受信方式構成のブロック回路を示し、図３（ｂ）は合成ダイバーシチ送受信方式構成の一例の携帯無線端末を示している。第１のアンテナ３０１は上筐体３０６の外側面の、例えば右側の上方隅に配置され、第２のアンテナ３０２は下筐体３０７の外側面の左側の下方隅に設置される。即ち、第１、第２のアンテナ３０１、３０２は筐体が折り畳まれたとき、重ならないように配置される。第１，第２のアンテナ３０１，３０２は、第１、第２の無線機３０３、３０４にそれぞれ接続されている。
【００１４】
第１、第２の無線機３０３、３０４はいずれも合成部３０５に接続されている。合成部３０５は第１、第２の無線機３０３、３０４からの検波信号を、それぞれ位相を揃えて合成する。このとき、単一アンテナによる電気的性能以上の電気的性能を合成ダイバーシチ送受信方式によって得るためには、前記第１、第２のアンテナ３０１、３０２が電気的性能の劣化無く動作していることが望ましい。
【００１５】
第２の実施形態の構成であれば、第１、第２のアンテナ３０１、３０２が互いに接触しないように設けられているので、筐体の開閉状態によらず各アンテナの電気的性能の劣化が生じない。従って、単一アンテナによる電気的性能以上の電気的性能を合成ダイバーシチ受信によって得ることができる。なお、本実施形態では上下筐体に各１つずつアンテナが設置された場合について述べたが、各筐体に２つ以上のアンテナが互いに接触しないように設置されていた場合についても同等以上の効果が期待できる。
【００１６】
（第３の実施形態）
本発明の第３の実施形態について、図１および図４を用いて説明する。
【００１７】
本実施形態では、特に、スイッチによってアンテナを切り替える選択ダイバーシチ受信および合成部によって複数のアンテナの受信信号を合成する合成ダイバーシチ受信の少なくともいずれかを選択する例について、図４を用いて説明する。
【００１８】
図４（ａ）は選択ダイバーシチ送受信方式および合成ダイバーシチ送受信方式の少なくともいずれかを行う携帯無線端末のブロック回路を示している。図４（ｂ）は同無線端末の構成の一例を示している。第１のアンテナ４０１は上筐体４０７の外側面の、例えば右側の上方隅に設置され、第２のアンテナ４０１は下筐体４０８の外側面の左側の下方隅に設置される。即ち、第１、第２のアンテナ４０１、４０２は筐体が折り畳まれたとき重ならないように配置されている。これらアンテナ４０１，４０２はいずれも高周波スイッチ４０３に接続される。この高周波スイッチ４０３によって、第１、第２の無線機４０４、４０５に接続されるべきアンテナが選択される。また、前記第１、第２の無線機４０４、４０５はいずれも合成部４０６に接続される。合成部４０６は第１、第２の無線機４０４、４０５からの検波信号を、それぞれ位相を揃えて合成する。また、合成部４０６において選択ダイバーシチ送受信方式と合成ダイバーシチ送受信方式が比較され、通信性能や消費電力等を評価することによりいずれのダイバーシチ方式を使うかが決定される。
【００１９】
このとき、選択ダイバーシチ送受信方式および合成ダイバーシチ送受信方式の少なくともいずれかを行うことによって単一アンテナによる電気的性能以上の電気的性能を得るためには、第１、第２のアンテナ４０１、４０２が電気的性能の劣化無く動作していることが望ましい。
【００２０】
第３の実施形態であれば、第１，第２のアンテナ４０１，４０２が互いに接触しないように設置されているので、筐体の開閉状態によらず各アンテナの電気的性能の劣化は生じない。従って、選択ダイバーシチ送受信方式および合成ダイバーシチ送受信方式を選択的に行うによって単一アンテナによる電気的性能以上の電気的性能を得ることができる。なお、本実施形態では上下筐体に各１つずつアンテナが設置された場合について述べたが、各筐体に２つ以上のアンテナが互いに接触しないように設置されていた場合についても同等以上の効果が期待できる。
【００２１】
（第４の実施形態）
図５は３つのアンテナが設置された実施形態を示している。図５（ａ）は選択ダイバーシチ送受信方式および合成ダイバーシチ送受信方式の少なくともいずれかを行う携帯無線端末のブロック回路を示し、図５（ｂ）は同携帯端末の構成の一例を示している。図５の実施形態は図４の実施形態と比較して、上筐体５０８に設置された第３のアンテナ５０７が高周波スイッチ５０３に接続されている点が異なる。即ち、上筐体５０８の外側面の例えば右側の上方隅に第１のアンテナ５０１が設置され、下筐体５０９の外側面の左側の下方隅に第２のアンテナ５０２が設置される。該上筐体５０８の外側面の左側の側方隅に第３のアンテナ５０７が第２のアンテナ５０２と接触しないように設置される。即ち、第１、第３のアンテナ５０１、５０７は筐体が折り畳まれたとき第２のアンテナ５０２に重ならないように配置されている。
【００２２】
第１、第２、第３のアンテナ５０１、５０２、５０７のうち、いずれか２つのアンテナを選択した上で、合成ダイバーシチ送受信方式を行うことができる。この実施形態においても、第１、第２、第３のアンテナ５０１、５０２、５０７が互いに接触しないように設置されているので、筐体の開閉状態によらず各アンテナの電気的性能の劣化が生じない。従って、この実施形態も単一アンテナによる電気的性能以上の電気的性能を得ることができる。
【００２３】
（第５の実施形態）
本発明の第５の実施形態について、図１、図６および図７を用いて説明する。
【００２４】
本第５の実施形態では、特に、第３の実施形態において、ダイバーシチ方式の切り替え方法について図６を用いて説明する。
【００２５】
図６（ａ）は筐体の開閉状態によって選択ダイバーシチ受信および合成ダイバーシチ受信を切り替える携帯無線端末のブロック回路を示し、図６（ｂ）は同携帯無線端末の構成の一例を示している。
【００２６】
第１のアンテナ６０１は上筐体６１１の外側面の例えば右側の上方隅に設置され、第２のアンテナ６０２は下筐体６１２の外側面の左側の下方隅に設置される。即ち、第１、第２のアンテナ６０１、６０２は筐体が折り畳まれたとき重ならないように配置されている。これらアンテナ６０１，６０２はいずれも高周波スイッチ６０３に接続されている。この高周波スイッチ６０３によって、第１、第２の無線機６０４、６０５に接続されるべきアンテナが選択される。第１、第２の無線機６０４、６０５はいずれも合成部６０６に接続される。
【００２７】
合成部６０６は第１、第２の無線機６０４、６０５からの検波信号を、それぞれ位相を揃えて合成する。開閉検出部６０７は筐体６１１，６１２の開閉状態を給電制御部６０８およびスイッチ制御部６０９へ通知する。開閉検出部６０７は、たとえば磁界の変化を利用したホールセンサやリードスイッチの他、上筺体６１１の内側に設けられた突起によって筺体が閉じた場合に物理的に押下される切り替えスイッチなどによって構成できる。
【００２８】
給電制御部６０８は筐体の開閉状態に応じて第１の無線機６０４への給電を制御する。スイッチ制御部６０９は筐体の開閉状態および受信レベル検出部６１０より通知される第２の無線機６０５の受信レベルに応じて高周波スイッチ６０３の開閉を制御する。
【００２９】
ここで筐体の開閉状態による第１の無線機６０４への給電制御および高周波スイッチ６０３の制御について図７を用いて説明する。図７では第１のアンテナ７０１、第２のアンテナ７０２、高周波スイッチ７０３、第１の無線機７０４、第２の無線機７０５、給電制御部７０６、スイッチ制御部７０７のみが図６の第１のアンテナ６０１、第２のアンテナ６０２、高周波スイッチ６０３、第１の無線機６０４、第２の無線機６０５、給電制御部６０６、スイッチ制御部６０７に対応して示され、図６に示す対応するその他の要素は省略されている。
【００３０】
筐体が開いた状態が図７（ａ）に示されている。この状態では、給電制御部７０６は第１の無線機７０４への給電を許可しており、スイッチ制御部７０７は第１のアンテナ７０１と第１の無線機７０４を接続し、第２のアンテナ７０１と第２の無線機７０５を接続するように高周波スイッチ７０３を制御する。第１の無線機７０４と第２の無線機７０５からの検波信号が合成部（図示せず）により位相を揃えて合成されることにより、合成ダイバーシチ送受信方式の効果を期待できる。
【００３１】
次に、筐体が閉じた状態が図７（ｂ）および図７（ｃ）に示される。この状態では、給電制御部７０６は第１の無線機７０４への電源供給を停止しており、スイッチ制御部７０７は第１のアンテナ７０１もしくは第２のアンテナ７０２と第２の無線機７０５を接続するように高周波スイッチ７０３を制御する。図７（ｂ）のように第１のアンテナ７０１と第２の無線機７０５を接続した場合の受信レベルと、図７（ｃ）のように第２のアンテナ７０２と第２の無線機７０５を接続した場合の受信レベルとが無線機７０５において比較され、受信レベルの高い方の接続状態を選択することにより、選択ダイバーシチ送受信方式の効果が期待できる。
【００３２】
上記のように、筐体が開いた状態では合成ダイバーシチ送受信方式、筐体が閉じた状態では選択ダイバーシチ送受信方式を行うことによって単一アンテナによる電気的性能以上の電気的性能を得るためには、第１、第２のアンテナ６０１、６０２が電気的性能の劣化無く動作していることが望ましい。
【００３３】
本実施形態の構成であれば、前述のとおり筐体の開閉状態によらず各アンテナの電気的性能の劣化が無いため、選択ダイバーシチ送受信方式および合成ダイバーシチ送受信方式の少なくともいずれかを行うことによって単一アンテナによる電気的性能以上の電気的性能を得ることができる。 
また、筐体が開いた状態では上筐体６１１の第１のアンテナ６０１と下筐体６１２の第２のアンテナ６０２の距離が開くため、アンテナ間の相関が小さくなり合成ダイバーシチ送受信方式に適している。
【００３４】
一方、筐体が閉じた状態では上筐体６１１の第１のアンテナ６０１と下筐体６１２の第２のアンテナ６０２の距離が縮むため、後述するように、パターンダイバーシチの効果が生じるためアンテナ間の相関が小さくなるため合成ダイバーシチ送受信方式よりも選択ダイバーシチ送受信方式が適している。第１のアンテナ６０１及び第２のアンテナ６０２の設置位置がそれぞれ筐体のヒンジ部６１３から遠い筐体端部に近づくにつれて、筐体を開いたときに各アンテナ間の距離が広がるため、アンテナ間の相関が小さくなり合成ダイバーシチ送受信方式の効果が大きくなる。従って筐体の開閉状態に応じてダイバーシチ方式を切り替えることは効果的である。 
以下に、図６の実施形態に適用される具体的なアンテナ素子の実装例を図８〜図１１を用いて説明する。
【００３５】
図８は上筺体８１１および下筺体８１２それぞれに逆Ｆアンテナ８０１、８０２を採用した例を示す。図８（ａ）は筺体を開いた状態を示し、図８（ｂ）は筺体を閉じた状態を示す。逆Ｆアンテナ８０１および８０２は上筐体基板８１４および下筐体基板８１５にそれぞれ設けられた第１のアンテナ給電点８１６および第２のアンテナ給電点８１７にそれぞれ接続される。
【００３６】
図８（ｂ）において逆Ｆアンテナはいずれも筺体外側でなおかつヒンジ部８１３から遠い筺体端部に配置されているため、筺体が開いている状態ではアンテナ間の距離が大きく、筺体が閉じている状態ではアンテナ間の距離が小さい。後述するようにアンテナ間の距離が大きい場合はスペースダイバーシチの効果により、アンテナ間の相関が小さくなるため合成ダイバーシチ送受信方式が適しており、アンテナ間の距離が小さい場合はパターンダイバーシチの効果により、アンテナ間の相関が小さくなるため、選択ダイバーシチ送受信方式が適している。ここでは、パターンダイバーシチの生じる仕組みについて説明する。
【００３７】
図８(b)、(c)で示されているように、アンテナ選択ダイバーシチ送受信方式の場合、選択されていないアンテナは、開放端になっている。この場合、アンテナ素子は、無給電素子としてはたらくことができる。この無給電素子は、選択されたアンテナ素子の放射パターンを変化させる。給電アンテナと近接する無給電素子の間には、電磁界的な結合が発生するため、無給電素子上にも電流分布が発生する。この電流から放射が生じるため、アンテナのパターンが変化する。この変化は、放射パターンダイバーシチという、ダイバーシチ効果を生むため、相関係数を低下することが可能となる。このように、アンテナ選択ダイバーシチは、アンテナ間が近接していても、パターンダイバーシチの効果を適用することで、アンテナ間の相関を抑制することが可能となり、ダイバーシチ性能を実現することが可能となる。
【００３８】
しかしながら、このパターンダイバーシチでは、アンテナの放射パターンは比較的大きく歪むため、アンテナ素子が無指向性である場合に効果を発揮する合成ダイバーシチ送受信方式にはあまり向かない。
【００３９】
一方、合成ダイバーシチ送受信方式の場合にも、アンテナから他方のアンテナをみたときに、他方のアンテナは無給電素子のように働く。しかしながらこの場合、両方のアンテナが無線回路に接続されているため、見かけ上の無給電素子は、無反射終端に接続されていることになる。この場合、電磁界的に結合することで無給電素子上に発生する誘導電流は、無反射終端によって吸収されてしまうため、選択ダイバーシチ送受信方式の場合に比べて、アンテナの放射パターンの変化が小さくなる。つまり、アンテナ間が近接している場合に、合成ダイバーシチを行うと、スペースダイバーシチの効果も、パターンダイバーシチの効果もあまり有効に働かなくなり、ダイバーシチ性能が十分に発揮されなくなる。従って、この場合は、筐体を開いた状態にして、アンテナ間の距離を開くことでダイバーシチ効果を生じさせる、スペースダイバーシチを用いることが望ましい。この場合、２つのアンテナは、お互いに離れ、結合が弱まることから、各々の本来の放射特性つまり無指向性を生じることになる。このように、筐体を開いた場合には、２つのアンテナの放射パターンが無指向性に近くさらに相関が低い状態となるため、合成ダイバーシチ送受信方式が適しているといえる。
【００４０】
このように本構成では２つのアンテナをダイバーシチアンテナとして眺めたときに、筐体の開閉状態によってダイバーシチ効果の出方が変化することが明らかとなっており、さらに筐体の開閉状態に従って、各々に対して適したダイバーシチ受信方式が明確となっていることから、筺体の開閉状態によって最適なダイバーシチ送受信方式を判断することができるため、受信レベルや回線品質を監視する必要が無くなり、消費電力の増加や回路規模の増加を抑えることが可能となる。
【００４１】
尚、図８において、高周波スイッチ８０３、第１、第２の無線機８０４、８０５、合成部８０６、開閉検出部８０７、給電制御部８０８、スイッチ制御部８０９、受信レベル検出部８１０は、図６に示される高周波スイッチ６０３、第１、第２の無線機６０４、６０５、合成部６０６、開閉検出部６０７、給電制御部６０８、スイッチ制御部６０９、受信レベル検出部６１０にそれぞれ相当する。
【００４２】
図９は上筺体９１１にホイップアンテナ９０１、および下筺体９１２に逆Ｆアンテナ９０２を採用した例を示す。図９（ａ）は筺体を開いた状態、図９（ｂ）は筺体を閉じた状態を示す。ホイップアンテナ９０１および逆Ｆアンテナ９０２は上筐体基板９１４および下筐体基板９１５にそれぞれ設けられた第１のアンテナ給電点９１６および第２のアンテナ給電点９１７にそれぞれ接続される。
【００４３】
図９（ｂ）においてホイップアンテナ９０１および逆Ｆアンテナ９０２はいずれも筺体外側で、逆Ｆアンテナ９０２はヒンジ部９１３から遠い筺体端部に配置されているため、筺体が開いている状態ではアンテナ間の距離が大きく、筺体が閉じている状態ではアンテナ間の距離が小さい。アンテナ間の距離が大きい場合はスペースダイバーシチによりアンテナ間の相関が小さくなるため合成ダイバーシチ送受信方式が適しており、アンテナ間の距離が小さい場合はパターンダイバーシチによってアンテナ間の相関が小さくなるため選択ダイバーシチ送受信方式が適しているといえる。先に示したように、このように最適なダイバーシチ送受信方式を筺体の開閉状態によって選択することができるため、本構成では受信レベルや回線品質を監視する必要が無くなり、消費電力の増加や回路規模の増加を抑えることが可能となる。
【００４４】
また、本構成では筺体を閉じた場合に各アンテナが重ならないように配置されているため、筺体を閉じた場合でも各アンテナの電気的性能の劣化が無く、ダイバーシチ送受信方式を行うことによって単一アンテナによる電気的性能以上の電気的性能を得ることができる。
【００４５】
尚、図９において、高周波スイッチ９０３、第１、第２の無線機９０４、９０５、合成部９０６、開閉検出部９０７、給電制御部９０８、スイッチ制御部９０９、受信レベル検出部９１０は、図６に示される高周波スイッチ６０３、第１、第２の無線機６０４、６０５、合成部６０６、開閉検出部６０７、給電制御部６０８、スイッチ制御部６０９、受信レベル検出部６１０にそれぞれ相当する。
【００４６】
図１０は上筺体１０１１にヘリカルアンテナ１００１、および下筺体１０１２に逆Ｆアンテナ１００２を採用した場合の例である。図１０（ａ）は筺体を開いた状態、図１０（ｂ）は筺体を閉じた状態を図示している。ヘリカルアンテナ１００１および逆Ｆアンテナ１００２は上筐体基板１０１４および下筐体基板１０１５にそれぞれ設けられた第１のアンテナ給電点１０１６および第２のアンテナ給電点１０１７にそれぞれ接続される。
【００４７】
図１０（ｂ）においてヘリカルアンテナ１００１および逆Ｆアンテナ１００２はいずれも筺体外側で、逆Ｆアンテナ１００２はヒンジ部１０１３から遠い筺体端部に配置されているため、筺体が開いている状態ではアンテナ間の距離が大きく、筺体が閉じている状態ではアンテナ間の距離が小さい。アンテナ間の距離が大きい場合はスペースダイバーシチによりアンテナ間の相関が小さくなるため合成ダイバーシチ送受信方式が適しており、アンテナ間の距離が小さい場合はパターンダイバーシチによってアンテナ間の相関が小さくなるため選択ダイバーシチ送受信方式が適しているといえる。先に示したように、このように最適なダイバーシチ送受信方式を筺体の開閉状態によって選択することができるため、本構成では受信レベルや回線品質を監視する必要が無くなり、消費電力の増加や回路規模の増加を抑えることが可能となる。また、本構成では筺体を閉じた場合に各アンテナが重ならないように配置されているため、筺体を閉じた場合でも各アンテナの電気的性能の劣化が無く、ダイバーシチ送受信方式を行うことによって単一アンテナによる電気的性能以上の電気的性能を得ることができる。
【００４８】
尚、図１０において、高周波スイッチ１００３、第１、第２の無線機１００４、１００５、合成部１００６、開閉検出部１００７、給電制御部１００８、スイッチ制御部１００９、受信レベル検出部１０１０は、図６に示される高周波スイッチ６０３、第１、第２の無線機６０４、６０５、合成部６０６、開閉検出部６０７、給電制御部６０８、スイッチ制御部６０９、受信レベル検出部６１０にそれぞれ相当する。
【００４９】
図１１は上筺体１１１１および下筺体１１１２それぞれに逆Ｆアンテナ１１０１および１１０２を採用した例を示す。図１１（ａ）は筺体を開いた状態、図１１（ｂ）は筺体を閉じた状態を示している。逆Ｆアンテナ１１０１および１１０２は上筐体基板１１１４および下筐体基板１１１５にそれぞれ設けられた第１のアンテナ給電点１１１６および第２のアンテナ給電点１１１７にそれぞれ接続される。
【００５０】
図１１（ｂ）において逆Ｆアンテナはいずれもヒンジ部１１１３から遠い筺体端部に配置されているため、筺体が開いている状態ではアンテナ間の距離が大きく、筺体が閉じている状態ではアンテナ間の距離が小さい。アンテナ間の距離が大きい場合はスペースダイバーシチによりアンテナ間の相関が小さくなるため合成ダイバーシチ送受信方式が適しており、アンテナ間の距離が小さい場合はパターンダイバーシチによってアンテナ間の相関が小さくなるため選択ダイバーシチ送受信方式が適しているといえる。先に示したように、このように最適なダイバーシチ送受信方式を筺体の開閉状態によって選択することができるため、本構成では受信レベルや回線品質を監視する必要が無くなり、消費電力の増加や回路規模の増加を抑えることが可能となる。また、本構成では筺体を閉じた場合に各アンテナが重ならないように配置されているため、筺体を閉じた場合でも各アンテナの電気的性能の劣化が無く、ダイバーシチ送受信方式を行うことによって単一アンテナによる電気的性能以上の電気的性能を得ることができる。
【００５１】
尚、図１１において、高周波スイッチ１１０３、第１、第２の無線機１１０４、１１０５、合成部１１０６、開閉検出部１１０７、給電制御部１１０８、スイッチ制御部１１０９、受信レベル検出部１１１０は、図６に示される高周波スイッチ６０３、第１、第２の無線機６０４、６０５、合成部６０６、開閉検出部６０７、給電制御部６０８、スイッチ制御部６０９、受信レベル検出部６１０にそれぞれ相当する。
【００５２】
なお、上記実施形態では上下筐体に各１つずつアンテナが設置された場合について述べたが、各筐体に２つ以上のアンテナが設置されていた場合についても同等以上の効果が期待できる。
【００５３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００５４】
本発明は、折り畳み可能で無線通信機能を備えた携帯無線端末、例えばノート型コンピュータや携帯電話、ＰＤＡ、ネットワーク家電等に適用できる。
【図面の簡単な説明】
【００５５】
【図１】本発明の第１乃至第４の実施形態に従った携帯無線端末の概略構成図
【図２】本発明の第１の実施形態に従った携帯無線端末のブロック回路および概略構成図
【図３】本発明の第２の実施形態に従った携帯無線端末のブロック回路および概略構成図
【図４】本発明の第３の実施形態に従った携帯無線端末のブロック回路および概略構成図
【図５】本発明の第４の実施形態に従った携帯無線端末のブロック回路および概略構成図
【図６】本発明の第５の実施形態に従った携帯無線端末のブロック回路および概略構成図
【図７】第５の実施形態の携帯無線端末における高周波スイッチ制御を説明するためのブロック回路図
【図８】第５の実施形態において逆Ｆアンテナを用いた携帯無線端末の概略構成図
【図９】第５の実施形態においてホイップアンテナと逆Ｆアンテナを用いた携帯無線端末の概略構成図
【図１０】第５の実施形態においてヘリカルアンテナと逆Ｆアンテナを用いた携帯無線端末の概略構成図
【図１１】第５の実施形態において逆Ｆアンテナを用いた携帯無線端末の概略構成図
【符号の説明】
【００５６】
１０３、２０５、３０６、４０７、５０８、６１１、８１１、９１１、１０１１、１１１１、１２０３…上筐体、１０４、２０６、３０７、４０８、５０９、６１２、８１２、９１２、１０１２、１１１２、１２０４…下筐体、１０５、２０７、３０８、４０９、５１０、６１３、８１３、９１３、１０１３、１１１３、１２０５…ヒンジ部、１０１、２０１、３０１、４０１、５０１、６０１、７０１、８０１、９０１、１００１、１１０１、１３０１…第１のアンテナ、１０２、２０２、３０２、４０２、５０２、６０２、７０２、８０２、９０２、１００２、１１０２、１３０２…第２のアンテナ、５０７…第３のアンテナ、２０３、４０３、５０３、６０３、７０３、８０３、９０３、１００３、１１０３、１３０３…高周波スイッチ、２０４…無線機、３０３、４０４、５０４、６０４、７０４、８０４、９０４、１００４、１１０４、１３０４…第１の無線機、３０４、４０５、５０５、６０５、７０５、８０５、９０５、１００５、１１０５、１３０５…第２の無線機、３０５、４０６、５０６、６０６、８０６、９０６、１００６、１１０６、１３０６…合成部、６０７、８０７、９０７、１００７、１１０７…開閉検出部、６０８、７０６、８０８、９０８、１００８、１１０８、１３１１…給電制御部、６０９、７０７、８０９、９０９、１００９、１１０９、１３１０…スイッチ制御部、６１０、８１０、９１０、１０１０、１１１０…受信レベル検出部、８１４、９１４、１０１４、１１１４…上筺体基板、８１５、９１５、１０１５、１１１５…下筺体基板、８１６、９１６、１０１６、１１１６…第１のアンテナの給電点、８１７、９１７、１０１７、１１１７…第２のアンテナの給電点、１２０１…第１の平面アンテナ、１２０２…第２の平面アンテナ
１３０７…第１の受信レベル検出部、１３０８…第２の受信レベル検出部、１３０９…比較制御部、１３１２…ダイバーシチ方式切り替え制御部、１３１３…第１のダイバーシチ構成部、１３１４…第２のダイバーシチ構成部
【図１】
2005244260.tif 000003
【図２】
2005244260.tif 000004
【図３】
2005244260.tif 000005
【図４】
2005244260.tif 000006
【図５】
2005244260.tif 000007
【図６】
2005244260.tif 000008
【図７】
2005244260.tif 000009
【図８】
2005244260.tif 000010
【図９】
2005244260.tif 000011
【図１０】
2005244260.tif 000012
【図１１】
2005244260.tif 000013